(57)【要約】  光ファイバケーブルに関連付けられた光ファイバストランドを保護するための光ファイバファンアウト／ブレークアウトキットのクロージャ／ハウジング。光ファイバファンアウト／ブレークアウトのクロージャ／ハウジングは、雌シェルと、雄シェルと、インサートピースと、インサートツールと、を備えている。インサートツールは、一時的にインサートピースに取り付けられ、それにより、インサートピースを雄シェル内にねじ込む。
2018502337.tif 000002
【特許請求の範囲】
【請求項１】
光ファイバケーブルに関連付けられた光ファイバストランドを保護するための光ファイバファンアウト／ブレークアウトキットのクロージャ／ハウジングであって、
雌シェルおよび雄シェルと、
インサートピースと、
一時的に前記インサートピースに取り付けられ、それにより、前記インサートピースを前記雄シェル内にねじ込む、インサートツールと、を備えた、光ファイバファンアウト／ブレークアウトキットのクロージャ／ハウジング。
【請求項２】
前記雌シェルが、
２つの雌キースロットと、
前記雌シェルの口部の開口における２つの雌クリップスロットと、をさらに備えている、請求項１に記載の光ファイバファンアウト／ブレークアウトキットのクロージャ／ハウジング。
【請求項３】
前記雄シェルが前記雌シェルに、取付けフィンガおよび端部クリップで取り付けられている、請求項１に記載の光ファイバファンアウト／ブレークアウトキットのクロージャ／ハウジング。
【請求項４】
前記雌シェルが前記雄シェルに、取付けスロットおよびポケットで取り付けられている、請求項１に記載の光ファイバファンアウト／ブレークアウトキットのクロージャ／ハウジング。
【請求項５】
前記雄インサートが、組付けの後に前方に突出することを防止するように前記光ファイバケーブルを固定するために、前記雄シェル内にねじ込まれている、請求項１に記載の光ファイバファンアウト／ブレークアウトのクロージャ／ハウジング。
【請求項６】
前記雄シェルがさらに、
ともに組み付けられる際に、前記雌シェルを前記雄シェルに固定するための、２つの雄キーと２つの雄クリップと、を口部の頂部に備えている、請求項１に記載の光ファイバファンアウト／ブレークアウトキットのクロージャ／ハウジング。
【請求項７】
光ファイバファンアウト／ブレークアウトキットのクロージャ／ハウジングを実施するための方法であって、
雄インサートツールを使用して雄インサートをシェルの雄キャビティ内に締結して、組み付けた後に前記光ファイバケーブルが前方に突出することを防止するように固定することと、
雌および雄シェル／カバーを組み付けることと、を含む、方法。 
【発明の詳細な説明】
【技術分野】
【０００１】
本開示の実施形態は、概して、光ファイバケーブルの産業に関する。実施形態は、より詳細には、特定の予め設定された方式で組み立てられる光ファイバのファンアウト／ブレークアウトキットのクロージャ／ハウジングに関する。
【背景技術】
【０００２】
電気ケーブルは、ともに接着されるか、ねじられるか、または編み込まれて、単一のアセンブリを形成する、２つ以上のワイヤで形成されている。通常、電気ケーブルの端部は、２つのデバイスに接続され、それにより、１つのデバイスから別のデバイスに電気信号を伝達することを可能にする。
【０００３】
さらに、光ファイバケーブルは、光を伝送するのに使用される１つまたは複数の光ファイバを含む電気ケーブルである。ファイバケーブルの末端には、ケーブル内の各光ファイバへのコネクタが付加されている。通常、ファイバは、他の設備に取り付けられる前にコネクタを適合させることが必要である。ファイバケーブルの末端に関する２つの一般的な解決策は、ピグテールとファンアウトキット（ブレークアウトキット）とである。具体的には、ファンアウトキットは、弱いタイトバッファ内のファイバのストランドをケーブルから保護するように設計された空のジャケットのセットである。これにより、個別のファイバを、接合することなく、また、保護エンクロージャ（接続箱など）を必要とすることなく、終端処理することができる。
【０００４】
しかし、既存の光ファイバケーブルは、向上された設計と、顧客の設備に容易に適合する、より強固な解決策に欠けている。
【０００５】
上述の議論の観点から、より強固な解決策を有する、よりよい光ファイバ・ファンアウト・キットの設計を提供することに関する要請が生じている。
【発明の概要】
【発明が解決しようとする課題】
【０００６】
本明細書の実施形態の主要な目的は、８、１２、２４、または慣習的な数のファイバがより合わせられた、慣習的または一般的な長さの光ファイバ（円形または楕円形）の用途のための、予め構成された光ファイバファンアウト／ブレークアウトキットのクロージャ／ハウジングを提供することである。具体的には、光ファイバファンアウト／ブレークアウトキットのクロージャ／ハウジングにより、顧客の設備に容易に適合するための、より強固な解決策を有する向上した設計が提供される。
【０００７】
本明細書の実施形態の別の目的は、２５０ミクロンのファイバを分離し、それらを個別に、２ミリメートルまたは３ミリメートルの分岐チューブに通す、光ファイバケーブルの製造を可能にすることである。
【０００８】
本明細書の実施形態のさらに別の目的は、デリケートな２５０ミクロンのファイバを、すべての産業上の規格のコネクタの終端処理の間、損傷から保護することである。
【課題を解決するための手段】
【０００９】
上述の要請は、光ファイバファンアウト／ブレークアウトキットのクロージャ／ハウジング、および、光ファイバファンアウト／ブレークアウトキットのクロージャ／ハウジングを実施するための方法によって満たされる。
【００１０】
光ファイバケーブルに関連付けられた光ファイバストランドを保護するための光ファイバファンアウト／ブレークアウトキットのクロージャ／ハウジング。光ファイバファンアウト／ブレークアウトのクロージャ／ハウジングは、雌シェルと、雄シェルと、インサートピースと、インサートツールと、を備えている。インサートツールは、一時的にインサートピースに取り付けられ、それにより、インサートピースを雄シェル内にねじ込む。
【００１１】
光ファイバファンアウト／ブレークアウトキットのクロージャ／ハウジングを実施するための方法の例は、雄インサートツールを使用して雄インサートをシェルの雄キャビティ内に締結して、組み付けた後に光ファイバケーブルが前方または後方に突出することを防止するように固定することを含んでいる。さらに、本方法は、雌および雄シェル／カバーを組み付けることを含んでいる。
【００１２】
本明細書の実施形態のこれらおよび他の態様は、以下の詳細な説明および添付図面とともに考慮することでよりよく認識され、理解されるであろう。しかし、以下の詳細な説明は、好ましい実施形態と、その実施形態の複数の特定の詳細を示しているが、説明のために与えられるものであり、限定のためのものではないことを理解されたい。多くの変形および変更を、本明細書の主旨から逸脱することなく、本明細書の実施形態の範囲内で行うことができ、また、本明細書の実施形態は、そのような変更すべてを含んでいる。
【００１３】
添付図面では、同様の参照符号は、同一であるか、機能的に類似の要素を参照している場合がある。これら参照符号は、様々な実施形態を説明し、また、本開示の様々な態様および利点を説明するために、詳細な説明で使用される。
【図面の簡単な説明】
【００１４】
【図１】本明細書に開示の実施形態に係る、光ファイバファンアウト／ブレークアウトキットのクロージャ／ハウジングの分解斜視図。
【図２】本明細書に開示の実施形態に係る、図１の光ファイバファンアウト／ブレークアウトキットのクロージャ／ハウジングの雄シェル／カバーの分解図。
【図３】本明細書に開示の実施形態に係る、図１の光ファイバファンアウト／ブレークアウトキットのクロージャ／ハウジングの雄インサートの分解図。
【図４】本明細書に開示の実施形態に係る、図１の光ファイバファンアウト／ブレークアウトキットのクロージャ／ハウジングの雌シェル／カバーの分解図。
【図５】本明細書に開示の実施形態に係る、組み付けられた状態の図１の光ファイバファンアウト／ブレークアウトキットのクロージャ／ハウジングの分解斜視図。
【図６】本明細書に開示の実施形態に係る、インサートツールの分解図。
【図７】本明細書に開示の実施形態に係る、光ファイバファンアウト／ブレークアウトのクロージャ／ハウジングを使用するための方法を示すフローチャート。
【発明を実施するための形態】
【００１５】
上述の要請は、特定の、予め設定された方式で組み付けられた、光ファイバファンアウト／ブレークアウトキットのクロージャ／ハウジングによって満足される。以下の詳細な説明は、当業者に対し、例示的実施態様を提供することを意図しており、当業者が、記載された本発明の範囲内の変形が代替可能であると理解するように、明確な開示に本発明を限定することを意図したものではない。
【００１６】
以下の詳細な説明では、説明の目的のために、開示の実施形態の完全な理解を提供するための、複数の特定の詳細が説明される。しかし、１つまたは複数の実施形態は、それら特定の詳細なしで実施され得ることが明らかである。他の例では、よく知られている構造およびデバイスは、図面を簡略化するために、概略的に示されている。
【００１７】
本発明は、光ファイバ・ファンアウト・キットを固定し、最終的には誤った組付けを防止するための、いくつかの向上した要素を提供する、光ファイバファンアウト／ブレークアウトキットのクロージャ／ハウジングを提供する。具体的には、本発明は、１つが雌であり、１つが雄である、２つのハウジングと、インサートピースと、インサートツールと、を備えている。光ファイバのファンアウト／ブレークアウトキットのクロージャ／ハウジングは、プラスチックで形成されている。当業者には、任意の他の適切および／または類似の材料が使用され得ることを理解されたい。さらに、光ファイバ・ファンアウト・キットは、光ファイバケーブルに関連付けられた光ファイバストランドを保護する、完全なハウジング／クロージャである。
【００１８】
当業者には、「雄ハウジング」と「雄シェル／カバー」とが、本明細書の記載を通して、相互変更可能に使用され得ることを理解されたい。同様に、「雌ハウジング」と「雌シェル／カバー」とは、本明細書の記載を通して、相互変更可能に使用され得る。
【００１９】
図１は、本明細書に開示の実施形態に係る、光ファイバファンアウト／ブレークアウトキットのクロージャ／ハウジング１００の分解斜視図である。光ファイバファンアウト／ブレークアウトキットのクロージャ／ハウジング１００は、雄シェル／カバー１１０、雄インサート１２０、および雌シェル／カバー１３０を含んでいる。
【００２０】
雄シェル／カバー１１０は、取付けフィンガおよび端部クリップで雌シェル／カバー１３０に取り付けられている。雌シェル／カバー１３０は、取付けスロットおよびポケットで雄ハウジングに取り付けられている。さらに、雄インサート１２０は、光ファイバケーブルを定位置に安定的に保持するために、雄ハウジング内にねじ込まれている。
【００２１】
図２は、本明細書に開示の実施形態に係る、図１の光ファイバファンアウト／ブレークアウトキットのクロージャ／ハウジング１００の雄シェル／カバー１１０の分解図である。光ファイバファンアウト／ブレークアウトキットのクロージャ／ハウジング１００は、２つの雄クリップ１１１、２つの雄キー１１２、および、雄インサートのためのネジが切られたキャビティ１１３を含んでいる。
【００２２】
図３は、本明細書に開示の実施形態に係る、図１の光ファイバファンアウト／ブレークアウトキットのクロージャ／ハウジング１００の雄インサート１２０の分解図である。光ファイバファンアウト／ブレークアウトキットのクロージャ／ハウジング１００は、図１の雄シェル／カバー１１０の接続のためのスレッド１２１と、ハンドリングを容易にするための追加の材料１２２と、を含んでいる。
【００２３】
図４は、本明細書に開示の実施形態に係る、図１の光ファイバファンアウト／ブレークアウトキットのクロージャ／ハウジング１００の雌シェル／カバー１３０の分解図である。光ファイバファンアウト／ブレークアウトキットのクロージャ／ハウジング１００は、２つの雌スロット１３１と、雄クリップのための２つの雌スロット１３２と、を含んでいる。
【００２４】
図５は、本明細書に開示の実施形態に係る、図１の光ファイバファンアウト／ブレークアウトキットのクロージャ／ハウジング１００のための雄インサートツール１４０の分解斜視図である。雄インサートツール１４０は、雄インサート１２０、雄ノッチ１２１に取り付けるための雌スロット１４１を含んでいる。さらに、雄インサートツール１４０は、組付け者／ユーザが、雄インサート１２０を雄ハウジングキャビティ１１３内にねじ込む作業を補助するための、窪みを有するハンドル１４２を含んでいる。
【００２５】
図６は、本明細書に開示の実施形態に係る、組み付けられた状態１５０の図１の光ファイバファンアウト／ブレークアウトキットのクロージャ／ハウジング１００の分解斜視図である。光ファイバファンアウト／ブレークアウトキットのクロージャ／ハウジング１００は、光ファイバ分岐チューブ１５１、雌シェル／カバー１５２、雄シェル／カバー１５３、および光ファイバケーブル１５４を含んでいる。
【００２６】
当業者には、１５０が単に説明の目的のためのものであることを理解されたい。光ファイバファンアウト／ブレークアウトキットのクロージャ／ハウジング１００の使用は、任意の時点における任意の構成に使用され得る。
【００２７】
図７は、本明細書に開示の実施形態に係る、光ファイバファンアウト／ブレークアウトのクロージャ／ハウジングを使用するための方法を示すフローチャートである。フローチャートは、ステップ７０２で開始される。
【００２８】
具体的には、本発明は、ファイバストランドを露出および損傷から保護するためのクロージャ／ハウジングとして使用される。
【００２９】
ステップ７０２では、雄インサートが、組付けの後に前方に突出することを防止するように光ファイバケーブルを固定するために、雄インサートツールを使用してシェル／カバーの雄キャビティ内に締結される。
【００３０】
ステップ７０４では、雌および雄シェル／カバーがともに組み付けられる。
【００３１】
本方法は、ステップ７０４で終了する。
【００３２】
光ファイバファンアウト／ブレークアウトキットのクロージャ／ハウジングは、以下に列挙するように、いくつかの理由のために有利である。
１．向上した設計を提供し、それにより、クロージャ／ハウジングをエンドユーザに有利にする。
２．スナップフィットの設計を提供する。
３．より小さい外径を提供する。
４．有効かつ効率的な製造プロセスを可能にする。
５．強固な解決策を提供する。
６．不要な組付けステップを最小化し、それにより、製造プロセスを単純化する。
【００３３】
したがって、本発明の開示は、添付の特許請求の範囲に説明される本発明の範囲の説明を意図しており、限定するものではない。
【符号の説明】
【００３４】
１００・・・光ファイバファンアウト／ブレークアウトキットのクロージャ／ハウジング
１１０・・・雄シェル／カバー
１１１・・・雄クリップ
１１２・・・雄キー
１１３・・・雄ハウジングキャビティ
１２０・・・雄インサート
１２１・・・雄ノッチ
１２２・・・追加の材料
１３０・・・雌シェル／カバー
１３１、１３２・・・雌スロット
１４０・・・雄インサートツール
１４１・・・雌スロット
１４２・・・ハンドル
１５１・・・光ファイバ分岐チューブ
１５２・・・雌シェル／カバー
１５３・・・雄シェル／カバー
１５４・・・光ファイバケーブル
【図１】
2018502337.tif 000003
【図２】
2018502337.tif 000004
【図３】
2018502337.tif 000005
【図４】
2018502337.tif 000006
【図５】
2018502337.tif 000007
【図６】
2018502337.tif 000008
【図７】
2018502337.tif 000009
【国際調査報告】
2018502337.tif 000010